(57)【要約】【課題】  トラバースシャーシの前面側を挟み込む概略コ型のトラバースホルダーを取付けたトラバースユニットをフレームに装着したディスク装置であって、モーターの振動やディスクの偏心に伴う振動などに起因して発生するトラバースユニットのガタツキを、至って簡単な方法にて防止することが出来るディスク装置の提供。【解決手段】  トラバースホルダー１４の両側部に設けた支持アーム２７，２７にはリブ２８，２８を突出すると共に先端には軸部１７，１７を外方向へ突出し、そしてフレーム１２の側壁２２，２２には前後方向に延びて正面側の高さ寸法を小さくした導入溝２３，２３を形成している。側壁２２，２２には撓み変形可能な樹脂バネ部３０，３０を一定の間隔をおいて平行に設け、上記トラバースホルダー１４の軸部１７，１７を上記フレーム１２の軸受け部１８，１８に設けた導入溝２３，２３に嵌めると共に支持アーム２７，２７に形成したリブ２８，２８を樹脂バネ部３０，３０にて挟み込む。【選択図】    図７
2006127659.tif 000002
【特許請求の範囲】
【請求項１】
ターンテーブルや光ピックアップなどの部品を取付けたトラバースシャーシの正面側を挟み込む概略コ形のトラバースホルダーを取付けたトラバースユニットをフレームに装着したディスク装置において、上記トラバースホルダーの両側部に設けた支持アームにはリブを突出すると共に先端には軸部を外方向へ突出し、また側部の正面側基部にはガイドボスを外方向へ突出し、そしてフレームの側壁には前後方向に延びて正面側の高さ寸法を小さくした導入溝を形成し、該側壁には撓み変形可能な樹脂バネ部を一定の間隔をおいて平行に設け、上記トラバースホルダーの軸部を上記フレームの軸受け部に設けた導入溝に嵌めると共に支持アームに形成したリブを樹脂バネ部にて挟み込んだことを特徴とするトラバースユニットのガタツキ防止機構を備えたディスク装置。
【請求項２】
上記軸受け部には側壁から内側に突出して壁部を形成し、該壁部と平行に樹脂バネ部を設けた請求項１記載のトラバースユニットのガタツキ防止機構を備えたディスク装置。
【請求項３】
上記壁部面には段差面を樹脂バネ部先端部と対向した位置に形成した請求項２記載のトラバースユニットのガタツキ防止機構を備えたディスク装置。                                                                       
【発明の詳細な説明】
【技術分野】
【０００１】
本発明はターンテーブルを回転駆動するモーターの振動やディスクの偏心に伴うブレによって発生するトラバースユニットのガタツキを防止し、ディスクの読み込み精度向上を図ることが出来るディスク装置に関するものである。
【背景技術】
【０００２】
トレイに載ったディスクは該トレイの搬入と共に再生位置へ移動し、ここでトラバースユニットが上昇することでディスクはターンテーブルに装着され、その後クランプされる。逆に、再生されたディスクを取り出す場合には、トラバースユニットが降下することで装着されているディスクはトレイに載置されて、該トレイと共に搬出される。
【０００３】
図８はディスク装置側面の断面図を示しており、(ａ)はトレイ１が搬出された状態で、トラバースユニット２は斜めに降下している。そこで、トレイ１にディスクを載置して装置内へ搬入するならば、トラバースユニット２が上昇してディスクはターンテーブル３に装着され、しかもクランパー４にて挟み込まれてクランプされる。
【０００４】
上記トラバースユニット２と組み合わされているトラバースホルダー７の正面側基部の中央には突起５が設けられ、該突起５はラックローディング６のカム溝に嵌っていて、該ラックローディング６が左右方向にスライドすることで(上記図  ８では奥行き方向へスライドすることで)トラバースホルダー７及びトラバースユニット２は昇降動することが出来る。
【０００５】
このように、上記トラバースユニット２はフレームに取付けられ、後方端を支点として上下動するが、トラバースユニット２にはターンテーブル及びピックアップ等が取付けられて上記フレームに装着されている。すなわち、フレームに形成されている空間にトラバースユニット２を傾けて挿入し、保持機構によってトラバースユニット２はフレームに対して安定して支持され、しかも基本的にはガタ付かない構造と成っている。
【０００６】
しかし、トラバースユニット２にはターンテーブル３が取付けられて、該ターンテーブル３に装着されたディスクはモーターの駆動にて高速回転し、この際、該モーターが振動したり、ディスクが偏心している場合には、それに伴ってトラバースユニット２にガタツキが生じる。その結果、ディスクの再生並びに記録に対して支障を来たす虞がある。
【０００７】
特開２０００−３１１４１０号に係る「ディスクローディング装置」は、水平置きや縦置きの何れの姿勢にあっても確実なディスクローディングを保証し、且つ十分な偏心余裕を持ったディスク回転空間を確保することが出来るようにしたものである。すなわち、光ディスクの外径を若干越える間隔をもってディスク搬送路の両側に離間対向させて配設した一対のセンタリング部材が、ディスクトレイに載せて搬入された光ディスクを中央寄せしてディスク駆動位置に案内する。又、光ディスクのディスク駆動位置への搬入後に作動するディスククランプ機構が、ディスク駆動位置に搬入された光ディスクをターンテーブル上にクランプする一方、ディスククランプ機構のクランプ動作に連動して作動する突起が、一対のセンタリング部材同士の間隔を拡大し、クランプ状態に至った光ディスクの外方に偏心余裕空間を形成している。
【０００８】
従って、装置本体を水平置きとした場合でも、縦置きとした場合でも、一対のセンタリング部材がディスクを確実にセンタリングした状態でクランプすることが出来、確実なローディングが可能と成る。また、インシュレータなどの振動減衰手段を介して装置内に取付けられるディスククランプ機構或いはその光学ベースの変位許容量を十分に確保することが出来、インシュレータ自体を振動吸収に効果のある柔軟性に富む部材で構成することで、ディスクを高速回転駆動する時や、或いは偏重心ディスクを高速回転させたときに発生する振動を効果的に減衰或いは遮断することが出来る。
【０００９】
しかし、上記のディスクローディング装置によるディスクのセンタリング及びディスクの偏重心に基づく振動防止手段には、センタリング部材及びインシュレータが用いられ、その構造は複雑化してしまう。勿論、製作コストは部品点数の増加や組立て工数の増加により高く成ってしまう。
【特許文献１】特開２０００−３１１４１０号に係る「ディスクローディング装置」
【発明の開示】
【発明が解決しようとする課題】
【００１０】
このように、従来のディスク装置には上記のごとき問題がある。本発明が解決しようとする課題はこれら問題点であり、モーターの振動やディスクの偏心に伴う振動などに起因して発生するトラバースユニットのガタツキを、至って簡単な方法にて防止することが出来るディスク装置を提供する。
【課題を解決するための手段】
【００１１】
本発明に係るトラバースユニットのガタツキ防止機構を備えたディスク装置の基本構造は従来のディスク装置と共通し、装置の外形を構成するフレームと、装置内部にはディスクを搬送するトレイと、該トレイによって装置内部に搬入されたディスクを載置して回転するターンテーブルと、ターンテーブルと対向して配置したクランパーと、回転したディスクから情報の読み込み或いはディスクへの情報の書き込みを行うピックアップと、ターンテーブル及びピックアップを取付けるトラバースユニットと、トラバースユニットの前方に弾性部材を介して取付けられるトラバースホルダーと、トラバースホルダーの正面側基部中央に形成した突起が嵌合する為のカム溝を形成したラックローディングとを主要構成部としている。
【００１２】
ところで、トラバースユニットの前方に取付けられるトラバースホルダーには、ラックローディングのカム溝に嵌合する突起とは別に、両側部から後方に延びる支持アームを一体的に形成し、この支持アームの先端には外方向へ突出する軸部を有し、該軸部はトラバースホルダーの揺動支点としてフレームに設けている軸受け部に取付けられる。そして上記支持アームには上方へ突出したリブを一体的に形成している。
【００１３】
上記フレームの軸受け部には、トラバースホルダーの軸部を通す為に開口した導入溝と、前方向へ傾斜したテーパー状の壁部と該壁部内側には樹脂バネ部を設け、これらはフレームに一体的に形成している。ここで、上記導入溝の高さ寸法は壁部に傾斜したテーパーを形成することで正面側が小さく成っている。そしてトラバースホルダーの両支持アームより突出したリブは、該トラバースホルダーをフレームに取付けた際に壁部と樹脂バネ部とによって挟み込まれる。
【発明の効果】
【００１４】
トラバースユニットが上昇してディスク再生状態と成っている際に、フレームの軸受け部近傍に形成した樹脂バネ部がトラバースホルダーの支持アームに形成したリブを挟み込んでガタツキを抑えることが出来る。そこで、ターンテーブルを駆動するモーターの振動やディスクの偏心に伴う振れが発生しても、ディスクの読み込み精度の低下を防止することが出来る。そして、このガタツキ防止手段は樹脂バネ部を設けるだけの簡単な構造であって、しかもフレームと一体成形することが出来るために製作は簡単と成り、コストも安くなる。
【実施例】
【００１５】
図１はディスク装置を示す平面図であって、トレイ１１は搬入してフレーム１２に収納されている。中央部にはターンテーブルに載置されたディスクをクランプする為のクランパー１３が設けられている。図２は側方からの断面図であり、(ａ)はトレイ１１が収納されている場合、(ｂ)はトレイ１１が搬出されている場合であり、トレイ１１が搬出された状態ではトラバースホルダー１４は降下しており、その結果トラバースユニット１５も降下した状態にある。
【００１６】
トラバースユニット１５の後方端はゴム等の弾性支持材１６を介してフレーム１２に支持され、前方側は上記トラバースホルダー１４と連結している。トラバースホルダー１４は概略コ形を成して両支持アーム先端に設けた軸部１７，１７がフレーム１２に設けている軸受け部１８，１８によって支持され、該トラバースホルダー１４の前方側はラックローディングに連動して上下動することが出来る。すなわち、軸部１７を中心とし揺動することで、トラバースユニット１５もその前方側は上記弾性支持材１６を中心に上下動することが出来る。
【００１７】
そこで、(ｂ)に示している搬出状態にあるトレイ１１がフレーム内部に搬入されるならば、トラバースホルダー１４が上昇すると共にトラバースユニット１５も上昇し、トレイ１１にセットされているディスクは上昇するターンテーブル１９に載置される。そして、フレーム１２に取付けられているクランパー１３との間にディスクは挟まれて固定される。
【００１８】
図３はトレイ１１を取外したフレーム１２を表しており、該フレーム１２は概略長方形の枠体を構成し、その両側壁２２，２２に跨るクランパー支持部２０を有し、該クランパー支持部２０の中央には穴２１が形成されて上記クランパー１３が取付けられる。そして、フレーム１２内にはトラバースホルダー１４を備えたトラバースユニット１５が取付けられる。本発明ではトラバースユニット１５にガタツキが発生しないように、トラバースホルダー１４の軸部１７，１７を支持するために、弾性力を付勢する支持構造とし、該トラバースホルダー１４を安定して支持することが出来る構造と成っている。
【００１９】
そこで、フレーム１２の両側壁２２，２２の軸受け部１８，１８に樹脂バネ部を設け、トラバースホルダー１４を支えるに際して、弾性力を付勢することが出来る構造と成っている。図４(ａ)〜(ｃ)はトラバースホルダー１４をフレーム１２に取付ける手順を表している。軸受け部１８には軸部導入溝２３が形成され、(ａ)に示すように軸部導入溝２３にトラバースホルダー１４の軸部１８を挿入する。そして、トラバースホルダー１４の先端側を矢印方向に持ち上げて、(ｂ)のようにする。そして、トラバースホルダー１４を矢印の前方(正面側)へ移動し、(ｃ)のように正面側の基部中央に突出している突起２４をラックローディングのカム溝に嵌合する。
【００２０】
ここで、軸部導入溝２３に挿入された軸部１７は、前方側へ移動することでその位置が規制されて上下方向へのガタツキはなくなる。すなわち、導入溝２３はその前方側の高さ寸法が小さく成っている為に、導入溝２３の先端に位置した軸部１７の上下方向が拘束される。そして、トラバースホルダー１４の正面側基部の両側にはガイドボス２５が外方向へ突出し、このガイドボス２５はガイド溝２６(図２参照)に遊嵌することで、トラバースホルダー１４が後方へ移動することはない。
【００２１】
一方、トラバースホルダー１４の支持アーム２７にはリブ２８が形成され、このリブ２８は側壁に設けられている樹脂バネ部３０によって挟み込まれる。図５はトラバースホルダー１４の軸受け部１８の詳細を示しているが、フレーム１２の側壁２２には壁部２９が内側へ段差をもって設けられ、該壁部２９と所定の間隔をおいて樹脂バネ部３０を形成している。この樹脂バネ部３０はその基部３１から壁部２９と平行に延び、従って基部３１を支点として片持ち支持状態で樹脂バネ部３０が撓み変形可能な状態にある。そして、壁部２９の内面には上記樹脂バネ部３０の先端部と対向して段差面３２を形成し、間の間隔は小さく成っている。
【００２２】
図５(ｂ)には、トラバースホルダー１４の軸部付近を示しているが、同図に示すように一定厚さのリブ２８を形成し、該トラバースホルダー１４を(ａ)の軸受け部１８に取付けることで、該リブ２８は壁部内面の段差面３２と樹脂バネ部３０との間に挟持され、樹脂バネ部３０のバネ力がリブ２８に付勢され、該リブ２８はガタ付くことなく定位置にある。
【００２３】
図６は軸受け部１８にトラバースホルダー１４の軸部１７が取付けられた状態を示している。軸部１７は導入溝２３に嵌合すると共に、リブ２８は壁部２９の段差面３２と樹脂バネ部３０との間に挟まれている。勿論、トラバースホルダー１４の前方側はラックローディングの左右方向への移動に伴って上下動することが出来るが、リブ２８は樹脂バネ部３０にて挟まれた状態にあり、該トラバースホルダー１４がガタ付くことはなくなる。
【００２４】
図７はトラバースホルダー１４が軸受け部１８，１８に取付けられた状態での正面からの断面図を表しており、軸部１７，１７は軸受け部１８，１８の導入溝２３，２３に嵌合すると共にリブ２８，２８は壁部２９，２９の段差面３２，３２と樹脂バネ部３０，３０との間に挟持されている。そこで、トラバースホルダー１４の正面中央に突出している突起２４はラックローディングのカム溝に嵌り、該ラックローディングの左右方向への移動に伴って突起２４は上下動することが出来る。同図の３３はフレーム１２に設けているガイドを示している。
【図面の簡単な説明】
【００２５】
【図１】トレイが収納されたディスク装置の平面図。
【図２】(ａ)はトレイが収納された場合の側面からの縦断面図、(ｂ)はトレイが搬出された状態での側面からの縦断面図。
【図３】フレームの平面図。
【図４】トラバースホルダーをフレームに取付ける手順。
【図５】(ａ)はフレームの側壁に設けている軸受け部、(ｂ)はトラバースホルダーの軸部。
【図６】軸受け部にトラバースホルダーの軸部を取付けた場合。
【図７】トラバースホルダーを取付けた場合の正面からの断面図。
【図８】従来のディスク装置の側面図であり、(ａ)トレイが搬出された場合、(ｂ)はトレイが搬入された場合。
【符号の説明】
【００２６】
11  トレイ
12  フレーム
13  クランパー
14  トラバースホルダー
15  トラバースユニット
16  弾性支持材
17  軸部
18  軸受け部
19  ターンテーブル
20  クランパー支持部
21  穴
22  側壁
23  導入溝
24  突起
25  ガイドボス
26  ガイド溝
27  支持アーム
28  リブ
29  壁部
30  樹脂バネ部
31  基部
32  段差面
33  ガイド
【図１】
2006127659.tif 000003
【図２】
2006127659.tif 000004
【図３】
2006127659.tif 000005
【図４】
2006127659.tif 000006
【図５】
2006127659.tif 000007
【図６】
2006127659.tif 000008
【図７】
2006127659.tif 000009
【図８】
2006127659.tif 000010